(57)【要約】【課題】  ＵＳＢ規格の電子機器をホスト装置と接続する際に生じる過渡性のノイズによる影響を低減し、誤作動が生じる可能性を低減する。【解決手段】  電子機器３０は、ＵＳＢ規格に準拠したインターフェースケーブル２０を介してホスト装置１０と接続される。電子機器３０において、データ伝送線として設けられる一対の差動信号線Ｄ＋，Ｄ−のうち、プルアップされない側の差動信号線Ｄ−は、所定の抵抗値を有する抵抗器３５を介してグラウンドに接続される。【選択図】  図１
2006350763.tif 000002
【特許請求の範囲】
【請求項１】
データ伝送線として一対の差動信号線を設けた所定のインターフェースケーブルを介して上位機器と接続され、データの伝送を行う電子機器であって、
前記一対の差動信号線が接続される第１の回路と、
前記一対の差動信号線のうち、前記上位機器が認識する当該電子機器の状態を示す差動信号線とは異なる側の差動信号線とグラウンドとの間に接続された所定の抵抗値を有する抵抗器とを備えること
を特徴とする電子機器。
【請求項２】
当該電子機器の状態は、ユニバーサルシリアルバス規格に準拠した手順で示され、
前記抵抗器の抵抗値は、３００ｋΩ以上１ＭΩ以下であること
を特徴とする請求項１記載の電子機器。
【請求項３】
当該電子機器の状態を示す差動信号線とは異なる側の差動信号線とグラウンドとの接続をオン又はオフするスイッチ素子と、
当該電子機器が前記インターフェースケーブルを介して前記上位機器と接続されてから所定の時間だけ前記スイッチ素子をオン状態とする制御手段とを備えること
を特徴とする請求項１記載の電子機器。
【請求項４】
前記制御手段は、前記インターフェースケーブルを介して前記上位機器と接続されてから２．５μ秒以下の期間だけ前記スイッチ素子をオン状態とすること
を特徴とする請求項３記載の電子機器。
【請求項５】
当該電子機器の状態は、ユニバーサルシリアルバス規格に準拠した手順で示され、
前記抵抗器の抵抗値は、３００ｋΩ以下であること
を特徴とする請求項３記載の電子機器。
【請求項６】
前記上位機器が認識する当該電子機器の状態は、当該電子機器の伝送速度であること
を特徴とする請求項１乃至請求項５のうちいずれか１項記載の電子機器。
【請求項７】
前記インターフェースケーブルは、ユニバーサルシリアルバス規格に準拠したものであること
を特徴とする請求項１乃至請求項６のうちいずれか１項記載の電子機器。
【発明の詳細な説明】
【技術分野】
【０００１】
本発明は、電子機器に関し、特に、ユニバーサルシリアルバス（Universal Serial Bus；ＵＳＢ）規格のホスト装置と接続される電子機器に適用して好適な技術に関する。
【背景技術】
【０００２】
近年、電子機器間におけるデータ転送を行うにあたっては、パラレルバスを用いたものに比べて接続するためのケーブルが細くて済み、また、信号線間の干渉による影響も少ない等の利点から、高速シリアルバスが用いられる機会が増えている。
【０００３】
特に、この高速シリアルバス規格の中でもユニバーサルシリアルバス（Universal Serial Bus；以下、ＵＳＢという。）規格は、データ伝送線を一対の差動信号線として設け、データ転送時には、これら一対の差動信号線のそれぞれに異なる極性の信号を与え、その電圧差によってディジタル論理値である"０"と"１"とを判別していることから、ノイズに対する耐性が高いという利点がある。
【０００４】
かかるＵＳＢ規格においては、電子機器が新たに接続されたときや、接続された一方の電子機器の電源が後からオン状態とされたとき等には、各電子機器が互いの通信能力、特にサポートする伝送速度を確認してから接続を確立する手順がとられている。このとき、電子機器がサポートする伝送速度は、上述した一対の差動信号線のそれぞれの電圧レベルによって判断するようにしている（例えば、特許文献１参照。）。
【０００５】
【特許文献１】特開２００４−１４５８１３号公報
【発明の開示】
【発明が解決しようとする課題】
【０００６】
しかしながら、ＵＳＢ規格においては、上述した従来の接続確立手順を用いる際には、一対の差動信号線にそれぞれ独立した信号が与えられることから、過渡性のノイズによる影響を受けやすく、各電子機器が互いの通信能力を誤認識してしまう事態が生じやすいという問題があった。
【０００７】
本発明は、このような実情に鑑みてなされたものであり、過渡性のノイズによる影響を低減し、誤作動が生じる可能性を低減することができる電子機器を提供することを目的とする。
【課題を解決するための手段】
【０００８】
上述した目的を達成する本発明にかかる電子機器は、データ伝送線として一対の差動信号線を設けた所定のインターフェースケーブルを介して上位機器と接続され、データの伝送を行う電子機器であって、前記一対の差動信号線が接続される第１の回路と、前記一対の差動信号線のうち、前記上位機器が認識する当該電子機器の状態を示す差動信号線とは異なる側の差動信号線とグラウンドとの間に接続された所定の抵抗値を有する抵抗器とを備えることを特徴としている。
【０００９】
このような本発明にかかる電子機器においては、当該電子機器の状態を示す差動信号線とは異なる側の差動信号線に抵抗器を接続することにより、当該抵抗器によって当該差動信号線上に生じる電荷をグラウンドに逃がし、過渡性のノイズを低減させることができる。したがって、本発明にかかる電子機器においては、抵抗器が接続された差動信号線が常にプルダウンされた状態となることから、上位機器に入力される当該差動信号線の電圧を安定的に閾値電圧以下とすることができる。
【００１０】
ここで、本発明にかかる電子機器の状態は、ユニバーサルシリアルバス規格に準拠した手順で示され、この場合、前記抵抗器の抵抗値は、３００ｋΩ以上１ＭΩ以下であるのが望ましい。これにより、本発明にかかる電子機器においては、数十Ωである第１の回路の出力インピーダンスに対して、抵抗器の抵抗値が十分に大きいことから、第１の回路が出力状態にある場合には、上位機器の信号受信に影響が及ぶのをほとんどなくすことができる。
【００１１】
また、本発明にかかる電子機器は、当該電子機器の状態を示す差動信号線とは異なる側の差動信号線とグラウンドとの接続をオン又はオフするスイッチ素子と、当該電子機器が前記インターフェースケーブルを介して前記上位機器と接続されてから所定の時間だけ前記スイッチ素子をオン状態とする制御手段とを備える。
【００１２】
このような本発明にかかる電子機器においては、当該電子機器が上位機器と接続されてからスイッチ素子がオフ状態となるまでの期間だけ、抵抗器が接続された差動信号線がプルダウンされた状態となる。したがって、本発明にかかる電子機器においては、当該電子機器が上位機器と接続され且つスイッチ素子がオフ状態となった後、差動信号によるデータ転送が開始されることから、抵抗器の存在がデータ転送動作に影響を及ぼす事態を確実に回避しつつ、上位機器に入力される当該差動信号線の電圧を安定的に閾値電圧以下とすることができる。
【００１３】
具体的には、前記制御手段は、前記インターフェースケーブルを介して前記上位機器と接続されてから２．５μ秒以下の期間だけ前記スイッチ素子をオン状態とすればよい。
【００１４】
また、本発明にかかる電子機器の状態は、ユニバーサルシリアルバス規格に準拠した手順で示され、この場合、前記抵抗器の抵抗値は、３００ｋΩ以下とすることができる。これにより、本発明にかかる電子機器においては、抵抗器の抵抗値が小さいことから、上位機器に入力される当該抵抗器が接続された差動信号線の電圧をより安定的にグラウンドレベルにまで下げることができる。
【００１５】
なお、前記上位機器が認識する当該電子機器の状態は、当該電子機器の伝送速度である。すなわち、本発明にかかる電子機器は、複数の伝送速度が規定されている場合に、いずれの伝送速度をサポートしているのかを上位機器に認識させるために、差動信号線を用いて当該伝送速度を当該上位機器に通知する場合に適用することができる。
【００１６】
特に、本発明にかかる電子機器は、前記インターフェースケーブルとして、ユニバーサルシリアルバス規格に準拠したものを用いる場合に好適である。
【発明の効果】
【００１７】
本発明においては、電子機器の状態を示す差動信号線とは異なる側の差動信号線をプルダウンした状態とし、上位機器に入力される当該差動信号線の電圧を安定的に閾値電圧以下とすることができることから、過渡性のノイズに起因して上位機器が誤作動してしまう可能性を低減することができる。
【発明を実施するための最良の形態】
【００１８】
以下、本発明を適用した具体的な実施の形態について図面を参照しながら詳細に説明する。
【００１９】
この実施の形態は、ユニバーサルシリアルバス（Universal Serial Bus；以下、ＵＳＢという。）規格のホスト装置と電子機器とを接続して構成されるデータ伝送システムである。特に、このデータ伝送システムにおいて、電子機器は、データ伝送線として設けられる一対の差動信号線のうち、プルアップされない側の差動信号線を、抵抗器を介してグラウンドに接続することにより、過渡性のノイズによる影響の低減を図ることができるものである。
【００２０】
まず、第１の実施の形態として示すデータ伝送システムについて説明する。
【００２１】
データ伝送システムは、図１に示すように、ホスト装置１０と電子機器３０とが、ＵＳＢ規格に準拠したインターフェースケーブル２０を介して接続されて構成される。
【００２２】
ホスト装置１０は、例えば、電子機器３０を周辺機器（スレーブ）として接続して用いるパーソナルコンピュータ等から構成される。ホスト装置１０は、インターフェースケーブル２０における一対の差動信号線Ｄ＋，Ｄ−が接続されるレシーバ回路１１と、インターフェースケーブル２０における電源供給信号線ＶＢＵＳに＋５Ｖ等の電源電力を供給するＶＢＵＳ供給回路１２と、差動信号線Ｄ＋，Ｄ−をそれぞれプルダウンする抵抗器１３ａ，１３ｂとを備える。なお、抵抗器１３ａ，１３ｂとしては、ＵＳＢ規格の仕様に基づいて一般に１５ｋΩのものが用いられる。
【００２３】
インターフェースケーブル２０は、データ伝送線としての一対の差動信号線Ｄ＋，Ｄ−と、電源電力を供給する電源供給信号線ＶＢＵＳと、グラウンド線ＧＮＤとを備える。また、インターフェースケーブル２０は、図示しないが、シールド線を備える。
【００２４】
電子機器３０は、例えば、ホスト装置１０に接続して周辺機器として用いられるプリンタであり、ＵＳＢ規格にて規定されているフル／ハイスピードの伝送速度をサポートしている。電子機器３０は、インターフェースケーブル２０における一対の差動信号線Ｄ＋，Ｄ−が接続されるドライバ回路３１と、インターフェースケーブル２０における電源供給信号線ＶＢＵＳの電圧を検出するＶＢＵＳ検出回路３２と、一対の差動信号線Ｄ＋，Ｄ−のうち差動信号線Ｄ＋を所定の電圧にプルアップする抵抗器３３と、ＶＢＵＳ検出回路３２から供給されるＶＢＵＳ検出信号に基づいて抵抗器３３による差動信号線Ｄ＋のプルアップをオン／オフするスイッチ素子３４と、一対の差動信号線Ｄ＋，Ｄ−のうちプルアップされない側の差動信号線Ｄ−とグラウンドとの間に接続され当該差動信号線Ｄ−をプルダウンする抵抗器３５とを備える。なお、抵抗器３３としては、ＵＳＢ規格の仕様に基づいて差動信号線Ｄ＋を３．３Ｖにプルアップするために、一般に１．５ｋΩのものが用いられる。
【００２５】
ここで、従来技術に新たに追加される抵抗器３５は、ＵＳＢ規格の仕様における入力インピーダンスの規定に基づいて、３００ｋΩ以上の抵抗値からなるものが必要となる。本願出願人は、この抵抗器３５の抵抗値と、ホスト装置１０側の差動信号線Ｄ−に誘起されるノイズとの関係から、当該抵抗値の適正範囲を求めるために、ホスト装置１０として所定のＵＳＢハブを用い、インターフェースケーブル２０としてＵＳＢ規格に準拠した５ｍのものを用い、電子機器３０として所定の擬似回路を用い、ホスト装置１０側の差動信号線Ｄ−に誘起されるノイズを測定した。この結果を次表１に示す。
【００２６】
【表１】
2006350763.tif 000003
【００２７】
すなわち、抵抗器３５は、その抵抗値が小さいものほど、ノイズを小さくすることがわかる。また、本願出願人は、抵抗器３５の抵抗値を１ＭΩ以下とすることにより、ホスト装置１０の誤動作も改善されることを確認している。これらの実験結果より、抵抗器３５としては、３００ｋΩ以上１ＭΩ以下の抵抗値からなるものから選定されるが、できる限り小さい抵抗値からなるものの方が望ましい。
【００２８】
このようなデータ伝送システムにおいては、インターフェースケーブル２０を介したホスト装置１０と電子機器３０との接続時に、差動信号線Ｄ＋，Ｄ−のいずれがプルアップされるかにより、当該電子機器３０の通信能力、具体的には、サポートしている伝送速度をホスト装置１０が認識する。ここでは、ホスト装置１０は、電子機器３０における抵抗器３３によって差動信号線Ｄ＋がプルアップされるのに応じて、当該電子機器３０がフル／ハイスピードの伝送速度をサポートしている旨を認識する。
【００２９】
ここで、従来のように、抵抗器３５が設けられていない場合について、図２を用いて考える。
【００３０】
一般に、差動信号線Ｄ＋，Ｄ−は、寄生誘導成分を有している。従来のデータ伝送システムにおいては、このような寄生誘導成分が大きいインターフェースケーブルを用いると、プルアップ時に、プルアップされない側の差動信号線にクロストークノイズが誘起され、閾値以上の電圧がホスト装置側に生じ、誤作動してしまうことがある。具体的には、従来のデータ伝送システムにおいては、図２に示すように、差動信号線Ｄ＋がプルアップされた場合には、電子機器におけるドライバ回路が非ドライブ状態であることから、当該電子機器内における差動信号線Ｄ−がオープン状態となる。この結果、従来のデータ伝送システムにおいては、図３に示すように、プルアップされない側の差動信号線Ｄ−にクロストークノイズが誘起され、このクロストークと反射波との影響に起因して、ホスト装置におけるレシーバ回路の差動信号線Ｄ−に大きなノイズを生じ、当該差動信号線Ｄ−の電圧が、ハイレベルであるとホスト装置が認識する閾値電圧ＶＩＨを越えてしまう事態が発生する。したがって、従来のデータ伝送システムにおいては、差動信号線Ｄ−がプルアップされたものとホスト装置が認識し、電子機器がロースピードの伝送速度をサポートしているものと誤認識してしまうことがある。
【００３１】
これに対して、抵抗器３５を設けた電子機器３０を備えるデータ伝送システムにおいては、図４に示すタイムチャートにしたがって、各信号波形が遷移する。
【００３２】
まず、ホスト装置１０と電子機器３０とがインターフェースケーブル２０を介して接続されていない時間ｔ１において、ホスト装置１０におけるレシーバ回路１１に入力される差動信号線Ｄ＋，Ｄ−のそれぞれの電位は、抵抗器１３ａ，１３ｂの作用によってグラウンドレベルとなっている。また、ホスト装置１０におけるＶＢＵＳ供給回路１２は、電源供給信号線ＶＢＵＳに常に約＋５Ｖの電圧を出力する。なお、電子機器３０は、スイッチ素子３４がオフ状態であり、ドライバ回路３１が非ドライブ状態であることから、差動信号線Ｄ＋，Ｄ−は、ともに不確定な状態にある。
【００３３】
続いて、データ伝送システムにおいては、時間ｔ２において、ホスト装置１０と電子機器３０とがインターフェースケーブル２０を介して接続されると、ホスト装置１０におけるＶＢＵＳ供給回路１２と電子機器３０におけるＶＢＵＳ検出回路３２とが、インターフェースケーブル２０における電源供給信号線ＶＢＵＳを介して接続される。これにより、ＶＢＵＳ検出回路３２は、ホスト装置１０から供給される電源供給信号線ＶＢＵＳの電圧を検出する。
【００３４】
そして、データ伝送システムにおいては、時間ｔ３において、ＶＢＵＳ検出回路３２によって電源供給信号線ＶＢＵＳの電圧を検出すると、スイッチ素子３４をオン状態とするためにＶＢＵＳ検出信号を当該スイッチ素子３４に供給する。これにより、データ伝送システムにおいては、時間ｔ４において、スイッチ素子３４がオン状態となり、差動信号線Ｄ＋が抵抗器３３を介して３．３Ｖにまでプルアップされ、その電圧が上昇する。
【００３５】
データ伝送システムにおいては、電子機器３０内で差動信号線Ｄ＋がプルアップされるのにともない、時間ｔ５において、ホスト装置１０におけるレシーバ回路１１に入力される差動信号線Ｄ＋の電圧も上昇する。そして、レシーバ回路１１は、差動信号線Ｄ＋の電圧が、ハイレベルと認識する閾値電圧ＶＩＨ以上であり、且つ、差動信号線Ｄ−の電圧が、ローレベルと認識する閾値電圧ＶＩＬ以下となった場合には、電子機器３０がフル／ハイスピードの伝送速度をサポートする機器であるものと認識する。
【００３６】
ここで、データ伝送システムにおいては、差動信号線Ｄ−が抵抗器３５によって常にプルダウンされていることから、スイッチ素子３４がオン状態となって差動信号線Ｄ＋がプルアップされている期間においても、レシーバ回路１１に入力される当該差動信号線Ｄ−の電圧が、安定的に閾値電圧ＶＩＬ以下となる。これは、抵抗器３５が、インターフェースケーブル２０における差動信号線Ｄ−上に生じる電荷をグラウンドに逃がし、クロストークノイズを低減させるためである。
【００３７】
したがって、データ伝送システムにおいては、電子機器３０がロースピードの伝送速度をサポートしているものとホスト装置１０が誤認識してしまう事態を招来することなく、フル／ハイスピードの伝送速度をサポートしているものと確実に認識することができる。
【００３８】
なお、データ伝送システムにおいては、数十Ωであるドライバ回路３１の出力インピーダンスに対して、抵抗器３５の抵抗値が十分に大きいことから、抵抗器３５を追加しても、ドライバ回路３１が出力状態にある場合には、レシーバ回路１１の信号受信に影響が及ぶことはほとんどない。
【００３９】
以上説明したように、本発明の第１の実施の形態として示すデータ伝送システムにおいては、差動信号線Ｄ＋，Ｄ−のうち、プルアップされない側の差動信号線Ｄ−を、抵抗器３５を介してグラウンドに接続することにより、ホスト装置１０に生じる過渡性のノイズによる影響の低減を図ることができ、当該ホスト装置１０が誤作動してしまう可能性を低減することができる。
【００４０】
つぎに、第２の実施の形態として示すデータ伝送システムについて説明する。
【００４１】
この第２の実施の形態として示すデータ伝送システムは、第１の実施の形態として示したデータ伝送システムを改良し、プルアップされない側の差動信号線をより低い電圧値にプルダウンするものである。したがって、この第２の実施の形態の説明においては、第１の実施の形態の説明と同様の構成については同一符号を付し、その詳細な説明を省略するものとする。
【００４２】
データ伝送システムは、図５に示すように、ホスト装置１０と電子機器４０とが、ＵＳＢ規格に準拠したインターフェースケーブル２０を介して接続されて構成される。
【００４３】
電子機器４０は、電子機器３０と同様に、ＵＳＢ規格にて規定されているフル／ハイスピードの伝送速度をサポートしている。電子機器４０は、上述したドライバ回路３１、ＶＢＵＳ検出回路３２、抵抗器３３、スイッチ素子３４、及び抵抗器３５の他に、差動信号線Ｄ−と抵抗器３５との間に挿入されたスイッチ素子４１と、ＶＢＵＳ検出回路３２から供給されるＶＢＵＳ検出信号に基づいてスイッチ素子４１のオン／オフ動作を制御する計時回路４２とを備える。
【００４４】
計時回路４２は、ＶＢＵＳ検出回路３２から供給されるＶＢＵＳ検出信号をトリガとして起動するタイマであり、ＶＢＵＳ検出信号が入力されると即座にスイッチ素子４１をオン状態とし、例えば２．５μ秒程度の所定の時間だけ経過すると、当該スイッチ素子４１をオフ状態とする。なお、スイッチ素子４１は、差動信号線Ｄ−とグラウンド線ＧＮＤとの接続をオン／オフすればよいことから、差動信号線Ｄ−と抵抗器３５との間ではなく、抵抗器３５とグラウンド線ＧＮＤとの間に設けられてもよい。
【００４５】
ここで、抵抗器３５は、第１の実施の形態とは異なり、３００ｋΩ以下の抵抗値からなるものを用いることができる。ここでは、抵抗器３５として、抵抗器３３とインピーダンスを同等とするために、当該抵抗器３３と同様の抵抗値、すなわち、１．５ｋΩのものを用いるものとする。
【００４６】
このような電子機器４０を備えるデータ伝送システムにおいては、図６に示すタイムチャートにしたがって、各信号波形が遷移する。
【００４７】
まず、時間ｔ１乃至時間ｔ５については、第１の実施の形態にて図４を用いて説明した場合と同様である。すなわち、ホスト装置１０と電子機器４０とがインターフェースケーブル２０を介して接続されていない時間ｔ１において、ホスト装置１０におけるレシーバ回路１１に入力される差動信号線Ｄ＋，Ｄ−のそれぞれの電位は、抵抗器１３ａ，１３ｂの作用によってグラウンドレベルとなっており、電源供給信号線ＶＢＵＳの電位は、ホスト装置１０におけるＶＢＵＳ供給回路１２から出力される約＋５Ｖとなる。
【００４８】
続いて、データ伝送システムにおいては、時間ｔ２において、ホスト装置１０と電子機器４０とがインターフェースケーブル２０を介して接続されると、ホスト装置１０におけるＶＢＵＳ供給回路１２と電子機器４０におけるＶＢＵＳ検出回路３２とが、インターフェースケーブル２０における電源供給信号線ＶＢＵＳを介して接続され、これにともない、ＶＢＵＳ検出回路３２は、ホスト装置１０から供給される電源供給信号線ＶＢＵＳの電圧を検出する。
【００４９】
そして、データ伝送システムにおいては、時間ｔ３において、ＶＢＵＳ検出回路３２によって電源供給信号線ＶＢＵＳの電圧を検出すると、ＶＢＵＳ検出信号をスイッチ素子３４に供給し、時間ｔ４において、差動信号線Ｄ＋が抵抗器３３を介して３．３Ｖにまでプルアップされる。
【００５０】
データ伝送システムにおいては、電子機器４０内で差動信号線Ｄ＋がプルアップされるのにともない、時間ｔ５において、ホスト装置１０におけるレシーバ回路１１に入力される差動信号線Ｄ＋の電圧も上昇する。そして、レシーバ回路１１は、差動信号線Ｄ＋の電圧が、ハイレベルと認識する閾値電圧ＶＩＨ以上であり、且つ、差動信号線Ｄ−の電圧が、ローレベルと認識する閾値電圧ＶＩＬ以下となった場合には、電子機器３０がフル／ハイスピードの伝送速度をサポートする機器であるものと認識する。
【００５１】
ここで、データ伝送システムにおいては、時間ｔ３において、ＶＢＵＳ検出回路３２によって電源供給信号線ＶＢＵＳの電圧を検出した際に、ＶＢＵＳ検出信号がスイッチ素子３４のみならず計時回路４２にも供給される。これに応じて、計時回路４２は、即座にスイッチ素子４１をオン状態とし、２．５μ秒程度の所定の時間だけ経過した時間ｔ６において、当該スイッチ素子４１をオフ状態とする。
【００５２】
データ伝送システムにおいては、このようなスイッチ素子４１の動作により、電子機器４０がホスト装置１０と接続されてからスイッチ素子４１がオフ状態となるまでの期間だけ、差動信号線Ｄ−が抵抗器３５によってプルダウンされることになる。このとき、データ伝送システムにおいては、抵抗器３５の抵抗値が第１の実施の形態の場合よりも小さいことから、レシーバ回路１１に入力される差動信号線Ｄ−の電圧をより安定的にグラウンドレベルにまで下げることができる。
【００５３】
したがって、データ伝送システムにおいては、電子機器４０がロースピードの伝送速度をサポートしているものとホスト装置１０が誤認識してしまう事態を確実に回避することができる。
【００５４】
なお、データ伝送システムにおいては、電子機器４０がホスト装置１０と接続され且つスイッチ素子４１がオフ状態となった後、ドライバ回路３１とレシーバ回路１１とによる差動信号によるデータ転送が開始されることになる。したがって、データ伝送システムにおいては、抵抗器３５の存在がデータ転送動作に影響を及ぼすことは全くない。
【００５５】
また、計時回路４２によるタイマ時間は、ＵＳＢ規格の仕様における認識時間の規定に基づいて、２．５μ秒以下である必要があるが、差動信号線Ｄ−がプルダウンされる時間を長くするために、できる限り２．５μ秒に近い値とする方が望ましい。さらに、抵抗器３５の抵抗値は、上述したように、３００ｋΩ以下の抵抗値からなるものを用いることができるが、第１の実施の形態にて説明したように、できる限り小さい抵抗値からなるものの方が望ましい。
【００５６】
以上説明したように、本発明の第２の実施の形態として示すデータ伝送システムにおいては、抵抗器３５の抵抗値を小さくすることができ、プルアップされない側の差動信号線Ｄ−がより低い電圧値までプルダウンされることから、ホスト装置１０に生じる過渡性のノイズによる影響のさらに低減を図ることができる。また、データ伝送システムにおいては、差動信号によるデータ転送が開始される前に、抵抗器３５が差動信号線Ｄ−から切り離されることから、当該抵抗器３５の存在がデータ転送動作に影響を及ぼす事態を確実に回避することができる。
【００５７】
なお、本発明は、上述した実施の形態に限定されるものではない。例えば、上述した実施の形態では、電子機器がフル／ハイスピードの伝送速度をサポートしているものとし、これにともない、プルアップされない側の差動信号線をプルダウンするものとして説明したが、本発明は、当該電子機器がロースピードの伝送速度をサポートしているものである場合にも容易に適用することができる。
【００５８】
すなわち、データ伝送システムにおいては、電子機器３０，４０がロースピードの伝送速度をサポートしているものである場合には、差動信号線Ｄ−にプルアップ用の抵抗器３３が接続されることになる。したがって、データ伝送システムにおいては、プルアップされない差動信号線Ｄ＋に抵抗器３５を接続してプルダウンすればよい。
【００５９】
また、上述した実施の形態では、ＵＳＢ規格のホスト装置と電子機器とを接続するものとして説明したが、本発明は、一方の差動信号線のプルアップの有無等、差動信号線の電気的状態に基づいて、下位機器の状態を上位機器に通知する接続形態であれば、ＵＳＢ規格に限らず、任意の接続形態に適用することができる。さらに、上述した実施の形態では、電子機器がサポートする伝送速度をホスト装置が認識するものとして説明したが、本発明は、伝送速度以外の電子機器の状態をホスト装置が認識するものであってもよい。すなわち、本発明は、一対の差動信号線のうち、下位機器の状態を示す差動信号線とは異なる側の差動信号線を、抵抗器を介してグラウンドに接続するものであれば、いかなるものであっても適用することができる。
【００６０】
このように、本発明は、その趣旨を逸脱しない範囲で適宜変更が可能であることはいうまでもない。
【図面の簡単な説明】
【００６１】
【図１】本発明の第１の実施の形態として示すデータ伝送システムの構成を説明するブロック図である。
【図２】従来のデータ伝送システムの概略的な構成を説明するブロック図であり、従来における問題点を説明するための図である。
【図３】図２に示す従来のデータ伝送システムにおけるホスト装置側での差動信号線を流れる信号波形を説明する図である。
【図４】本発明の第１の実施の形態として示すデータ伝送システムにおける各信号波形の遷移を示すタイムチャートである。
【図５】本発明の第２の実施の形態として示すデータ伝送システムの構成を説明するブロック図である。
【図６】本発明の第２の実施の形態として示すデータ伝送システムにおける各信号波形の遷移を示すタイムチャートである。
【符号の説明】
【００６２】
１０  ホスト装置
１１  レシーバ回路
１２  ＶＢＵＳ供給回路
１３ａ，１３ｂ，３３，３５  抵抗器
２０  インターフェースケーブル
３０  電子機器
３１  ドライバ回路
３２  ＶＢＵＳ検出回路
３４，４１  スイッチ素子
４２  計時回路
Ｄ＋，Ｄ−  差動信号線
ＧＮＤ  グラウンド線
ＶＢＵＳ  電源供給信号線
【図１】
2006350763.tif 000004
【図２】
2006350763.tif 000005
【図３】
2006350763.tif 000006
【図４】
2006350763.tif 000007
【図５】
2006350763.tif 000008
【図６】
2006350763.tif 000009